【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
光軸方向に移動可能な移動レンズ群と、該移動レンズ群を所定の速度で駆動するレンズ駆動手段と、環境温度を検出する温度検出手段と、該温度検出手段から得られる温度データに基づいて該レンズ駆動手段を駆動制御する駆動制御手段とを備え、該駆動制御手段は該温度検出手段から得られる温度データに基づいて該レンズ駆動手段による該移動レンズ群の駆動条件を変更することを特徴とするレンズ駆動制御装置。
【請求項２】
光軸方向に移動可能な少なくとも１つ以上の移動レンズ群と、該移動レンズ群を少なくとも２速以上の速度で駆動するレンズ駆動手段と、環境温度を検出する温度検出手段と、該温度検出手段から得られる温度データに基づいて該レンズ駆動手段を駆動制御する駆動制御手段とを備え、該駆動制御手段は該温度検出手段から得られる温度データが予め設定されている設定温度よりも低温であると判断したときに、該レンズ駆動手段による該移動レンズ群の駆動条件を変更することを特徴とするレンズ駆動制御装置。
【請求項３】
請求項１又は２に記載のレンズ駆動制御装置において、該レンズ駆動手段として、ステッピングモータを用いていることを特徴とするレンズ駆動制御装置。
【請求項４】
請求項１乃至３の何れか一項に記載のレンズ駆動制御装置において、該駆動制御手段は、該レンズ駆動手段による該移動レンズ群の駆動条件の変更として、該移動レンズ群を駆動するための最高速度を下げることを特徴とするレンズ駆動制御装置。
【請求項５】
請求項１乃至３の何れか一項に記載のレンズ駆動制御装置において、該駆動制御手段は、該レンズ駆動手段による該移動レンズ群の駆動条件の変更として、該移動レンズ群を駆動するための該レンズ駆動手段への駆動波形を正弦波から矩形波に変更することを特徴とするレンズ駆動制御装置。
【請求項６】
請求項１乃至３の何れか一項に記載のレンズ駆動制御装置において、該温度検出手段は、該レンズ駆動手段の周囲温度を検出していることを特徴とするレンズ駆動制御装置。
【請求項７】
請求項１乃至６の何れか一項に記載のレンズ駆動制御装置を用いていることを特徴とする光学機器。
【請求項８】
移動レンズ群を光軸方向に所定の速度で駆動するレンズ駆動手段を駆動制御するレンズ駆動制御方法であって、環境温度を検出する温度検出ステップと、該温度検出ステップで得られる温度データに基づいて該レンズ駆動手段による該移動レンズ群の駆動条件を変更する駆動制御ステップとを有することを特徴とするレンズ駆動制御方法。
【請求項９】
少なくとも１つ以上の移動レンズ群を光軸方向に少なくとも２速以上の速度で駆動するレンズ駆動手段を駆動制御するレンズ駆動制御方法であって、環境温度を検出する温度検出ステップと、該温度検出ステップで得られる温度データが予め設定されている温度データよりも低温かどうかを判断する判断ステップと、該判断ステップで低温と判断したときに該レンズ駆動手段による該移動レンズ群の駆動条件を変更する駆動制御ステップとを有することを特徴とするレンズ駆動制御方法。
【請求項１０】
請求項８又は９のレンズ駆動制御方法を用いていることを特徴とする光学機器。
【手続補正２】
【補正対象書類名】明細書
【補正対象項目名】００２０
【補正方法】変更
【補正の内容】
【００２０】
【課題を解決するための手段】
請求項１の発明のレンズ駆動制御装置は、光軸方向に移動可能な移動レンズ群と、該移動レンズ群を所定の速度で駆動するレンズ駆動手段と、環境温度を検出する温度検出手段と、該温度検出手段から得られる温度データに基づいて該レンズ駆動手段を駆動制御する駆動制御手段とを備え、該駆動制御手段は該温度検出手段から得られる温度データに基づいて該レンズ駆動手段による該移動レンズ群の駆動条件を変更することを特徴としている。
【手続補正３】
【補正対象書類名】明細書
【補正対象項目名】００２１
【補正方法】変更
【補正の内容】
【００２１】
請求項２の発明のレンズ駆動制御装置は、光軸方向に移動可能な少なくとも１つ以上の移動レンズ群と、該移動レンズ群を少なくとも２速以上の速度で駆動するレンズ駆動手段と、環境温度を検出する温度検出手段と、該温度検出手段から得られる温度データに基づいて該レンズ駆動手段を駆動制御する駆動制御手段とを備え、該駆動制御手段は該温度検出手段から得られる温度データが予め設定されている設定温度よりも低温であると判断したときに、該レンズ駆動手段による該移動レンズ群の駆動条件を変更することを特徴としている。
【手続補正４】
【補正対象書類名】明細書
【補正対象項目名】００２２
【補正方法】変更
【補正の内容】
【００２２】
請求項３の発明は請求項１又は２に記載のレンズ駆動制御装置において、該レンズ駆動手段として、ステッピングモータを用いていることを特徴としている。
請求項４の発明は請求項１乃至３の何れか一項に記載のレンズ駆動制御装置において、該駆動制御手段は、該レンズ駆動手段による該移動レンズ群の駆動条件の変更として、該移動レンズ群を駆動するための最高速度を下げることを特徴としている。
請求項５の発明は請求項１乃至３の何れか一項に記載のレンズ駆動制御装置において、該駆動制御手段は、該レンズ駆動手段による該移動レンズ群の駆動条件の変更として、該移動レンズ群を駆動するための該レンズ駆動手段への駆動波形を正弦波から矩形波に変更することを特徴とするレンズ駆動制御装置。
請求項６の発明は請求項１乃至３の何れか一項に記載のレンズ駆動制御装置において、該温度検出手段は、該レンズ駆動手段の周囲温度を検出していることを特徴としている。
【手続補正５】
【補正対象書類名】明細書
【補正対象項目名】００２３
【補正方法】変更
【補正の内容】
【００２３】
請求項７の発明の光学機器は請求項１乃至６の何れか一項に記載のレンズ駆動制御装置を用いていることを特徴としている。
【手続補正６】
【補正対象書類名】明細書
【補正対象項目名】００２４
【補正方法】変更
【補正の内容】
【００２４】
請求項８の発明のレンズ駆動制御方法は、移動レンズ群を光軸方向に所定の速度で駆動するレンズ駆動手段を駆動制御するレンズ駆動制御方法であって、環境温度を検出する温度検出ステップと、該温度検出ステップで得られる温度データに基づいて該レンズ駆動手段による該移動レンズ群の駆動条件を変更する駆動制御ステップとを有することを特徴としている。
【手続補正７】
【補正対象書類名】明細書
【補正対象項目名】００２５
【補正方法】変更
【補正の内容】
【００２５】
請求項９の発明のレンズ駆動制御方法は、少なくとも１つ以上の移動レンズ群を光軸方向に少なくとも２速以上の速度で駆動するレンズ駆動手段を駆動制御するレンズ駆動制御方法であって、環境温度を検出する温度検出ステップと、該温度検出ステップで得られる温度データが予め設定されている温度データよりも低温かどうかを判断する判断ステップと、該判断ステップで低温と判断したときに該レンズ駆動手段による該移動レンズ群の駆動条件を変更する駆動制御ステップとを有することを特徴としている。
【手続補正８】
【補正対象書類名】明細書
【補正対象項目名】００２６
【補正方法】変更
【補正の内容】
【００２６】
請求項１０の発明の光学機器は請求項８又は９のレンズ駆動制御方法を用いていることを特徴としている。
【手続補正９】
【補正対象書類名】明細書
【補正対象項目名】００２７
【補正方法】削除
【補正の内容】